(57)【要約】【課題】操作性が良く、顔の表情が良く見え、簡易な構造で飲食し易い飲食用マスクを提供する。【解決手段】飲食用マスク１は、頭部に装着される装着部３と、装着部３に設けられ、装着時に額の前方に張り出し、両側部５ａと前端部５ｂを具備したバイザー部５と、バイザー部５の両側部５ａのそれぞれに下方に垂下するように止着され、口部及び鼻部の前方で、それぞれ下方に垂下する部分が一体化するように連結されると共に、目の前方に開口領域１０ｃを有するシールド部１０と、を有し、前記シールド部が止着される前記バイザー部は、前記装着部から前方への張り出し長さＬが８ｃｍ以上であり、その横幅Ｗ１が１５ｃｍ〜２５ｃｍであることを特徴とする。【選択図】  図１
0003234675.tif 000002
【実用新案登録請求の範囲】
【請求項１】
頭部に装着される装着部と、
前記装着部に設けられ、装着時に額の前方に張り出し、両側部と前端部を具備したバイザー部と、
前記バイザー部の両側部のそれぞれに下方に垂下するように止着され、口部及び鼻部の前方で、前記それぞれ下方に垂下する部分が一体化するように連結されると共に、目の前方に開口領域を有するシールド部と、
を有し、
前記シールド部が止着される前記バイザー部は、前記装着部から前方への張り出し長さＬが８ｃｍ以上であり、その横幅Ｗ１が１５ｃｍ〜２５ｃｍであることを特徴とする飲食用マスク。
【請求項２】
前記装着部は、頭部に巻回され、長さ調節可能なベルトであることを特徴とする請求項１に記載の飲食用マスク。
【請求項３】
前記シールド部は、透明であることを特徴とする請求項１又は２に記載の飲食用マスク。
【請求項４】
前記装着部及びバイザー部は、紙であることを特徴とする請求項１から３のいずれか１項に記載の飲食用マスク。
【考案の詳細な説明】
【技術分野】
【０００１】
本考案は、マスクに関し、詳細には、装着したままで飲食することが可能な飲食用マスクに関する。
【背景技術】
【０００２】
最近のコロナ禍において、マスクの需要が高まっており、マスクには、ループを耳に掛けて鼻から口部の周辺を不織布等の覆い部（シールドとも称する）で覆う通常タイプ、特許文献１に開示されているようなフェイスシールドタイプ、更には、口部の前側のみを覆うマウスシールドタイプ等が知られている。また、感染を効果的に予防する方法として、各自治体では、マスクを着けたままで飲食する、いわゆるマスク飲食を推奨している。マスク飲食は、口に飲食物を運ぶ際に、片方の耳からループを外して口に飲食物を運び、飲食した後、再びループを耳に掛けて鼻から口の周辺部分を覆い部で覆うといった操作が行なわれる。
【０００３】
上記したようなマスク飲食は、飲食物を口に運ぶ都度、ループを耳から外し、口に運んだ後は、再びループを耳に掛ける必要があるため、操作が煩わしいという問題がある。また、フェイスシールドタイプやマウスシールドタイプは飲食操作がし難く、マウスシールドタイプでは、飛散防止効果が十分ないという問題がある。そこで、特許文献２には、鼻部の前方に、鼻や耳に掛けて保持されるフレームを配設し、このフレームに左右開きとなるシールドを開閉可能にした飲食用のマスクが開示されている。
【先行技術文献】
【特許文献】
【０００４】
【特許文献１】実用新案登録第３２３０２５０号
【特許文献２】実用新案登録第３２３２３０６号
【考案の概要】
【考案が解決しようとする課題】
【０００５】
上記したように、一般的な耳に掛けるタイプのマスクでは、いずれかの部位を顔表面に接触させた状態でシールド部分を保持しているため、飲食物を口に運ぶ都度、片方のループを外す必要があり、飲食がし難く、かつ、眼鏡と併用すると操作性や取扱性が悪いという問題がある。また、上記した特許文献２に開示されている飲食用マスクは、飲食する際にシールドを開閉させるため、操作性が悪く、構造も複雑でコストが高くなってしまう。特に、飲食店では、来店者に配布することが考えられるが、このような使用形態では、特許文献２に開示された飲食用マスクは、使い勝手が良くない。
【０００６】
本考案は、上記した問題に基づいてなされたものであり、操作性が良く、顔の表情が良く見え、簡易な構造で飲食し易い飲食用マスクを提供することを目的とする。
【課題を解決するための手段】
【０００７】
上記した目的を達成するために、本考案に係る飲食用マスクは、頭部に装着される装着部と、前記装着部に設けられ、装着時に額の前方に張り出し、両側部と前端部を具備したバイザー部と、前記バイザー部の両側部のそれぞれに下方に垂下するように止着され、口部及び鼻部の前方で、前記それぞれ下方に垂下する部分が一体化するように連結されると共に、目の前方に開口領域を有するシールド部と、を有し、前記シールド部が止着される前記バイザー部は、前記装着部から前方への張り出し長さＬが８ｃｍ以上であり、その横幅Ｗ１が１５ｃｍ〜２５ｃｍであることを特徴とする。
【０００８】
上記した飲食用マスクは、装着部を頭部に装着すると、前方に張り出したバイザー部の両側部に止着されたシールド部が口部の前方を覆うようになる。バイザー部が前方に８ｃｍ以上張り出しており、かつ、その横幅が１５ｃｍ〜２５ｃｍ確保されていることで、シールド部と顔の表面と間には、隙間が形成され、この隙間を介して飲食物を口に運ぶことができる。すなわち、シールド部分を開閉することなく、飲食することができ操作性が低下するようなこともない。また、口の前方を覆うシールド部は、バイザー部の前端部から下方となる目の前方に開口領域を有することから、飲食する際に顔の表情が隠れることはない。そして、上記したタイプの飲食用マスクは、バイザー部を有する装着部と、バイザー部の両側部に垂下するように止着されるシールド部のみで構成されるので、構造が簡易であり、コストが高騰するようなこともない。
【考案の効果】
【０００９】
本考案によれば、操作性が良く、顔の表情が良く見え、簡易な構造で飲食し易い飲食用マスクが得られる。
【図面の簡単な説明】
【００１０】
【図１】本考案に係る飲食用マスクの一実施形態を示す斜視図。
【図２】図１に示す飲食用マスクの分解図であり、（ａ）はシールド部の平面図、（ｂ）は装着部及びバイザー部を示す平面図。
【考案を実施するための形態】
【００１１】
以下、本考案に係る飲食用マスクについて添付図面を参照しながら説明する。
図１及び図２は、本考案に係る飲食用マスクの一実施形態を示す図であり、図１は、装着した状態を示す斜視図、図２（ａ）はシールド部の平面図、図２（ｂ）は装着部及びバイザー部を示す平面図である。
【００１２】
本実施形態に係る飲食用マスク１は、頭部Ｐに装着される装着部３と、装着部３に設けられ、装着時に額の前方に張り出すバイザー部５と、を有している。前記装着部３は、頭部に対して被るように装着されるものであれば良く、本実施形態では、頭部Ｐに巻回され（耳の上で巻回される）、長さ調節可能なベルトとして構成されている。
【００１３】
前記装着部３をベルトで構成する場合、その幅Ｗについては、３ｃｍ〜１５ｃｍ程度であれば良い（ベルトを紙製で構成する場合、装着した際に切れないように幅広にするのが好ましい）。また、長さ調整の手法に関しては、図２（ｂ）に示すように、例えば、一方の端部表面に、断続的に長手方向に沿って面ファスナ部材４ａを取着し、他端側に面ファスナ部材４ａに止着される止着部材４ｂを設けておくことで、装着者の頭部の大きさ（額回りの長さ）に応じて最適な長さにして装着することが可能である。
【００１４】
前記前方に張り出すバイザー部５は、装着部３の略中央領域に設けられており、両側部５ａと前端部５ｂとを具備した略矩形形状に形成されている。このバイザー部５は、以下のシールド部１０を止着した際、その前方への突出によって、装着者の顔の表面との間で所定の隙間（飲食物を口に運べる隙間）を確保するように機能する。このバイザー部５の形状については、止着したシールド部１０が顔の表面との間で所定の隙間を確保できるものであれば、半円形状にする等、適宜変形することが可能である。すなわち、止着されるシールド部１０が一定量、前方に突出した状態で顔の前面を覆う長さが確保できれば（両側部５ａによって確保）、その形状は適宜変形することが可能である。また、前端部５ｂについても、その下側に開口領域が形成できれば、その縁の形状についても適宜、変形することが可能である。
【００１５】
具体的に、前方への張り出し長さＬは、８ｃｍ以上確保されていることが好ましい。ただし、あまり長くし過ぎると、隙間が広く空き過ぎてしまい、飛散防止効果が低下すると共に、取扱い性も低下するので、１２ｃｍ以下にすることが好ましい。また、バイザー部５の横幅Ｗ１は、装着した際、バイザー部の下方で、装着者の目の周りが十分に露出して表情が分かりやすいように、１５ｃｍ〜２５ｃｍ程度確保されていれば良い。
【００１６】
前記バイザー部５の両側部５ａのそれぞれには、下方に垂下するようにシールド部１０が止着されている。このシールド部１０は、下方に垂下する垂下部１０ａと、装着した際、顔の口部及び鼻部の前方で、それぞれ下方に垂下した部分（垂下部１０ａ）を一体化するように連結する覆い部１０ｂを備えている。また、シールド部１０は、装着した際に、目の前方が開口するように開口部（開口領域）１０ｃが形成された形状となっている。
【００１７】
シールド部１０は、顔の大きさが異なる全ての装着者に適合すると共に、正面視した際、顎のラインまで垂下しているのが好ましい。このため、覆い部１０ｂの高さＨは、１０ｃｍ〜２０ｃｍ確保されていれば良く、その全体幅Ｗ２は、３０ｃｍ〜５０ｃｍ確保されていれば良い。この場合、シールド部１０は、垂下部１０ａをバイザー部５の両側部５ａに止着すると、覆い部１０ｂが湾曲状になることから、正面視した際の全体幅Ｗ２´は、１５ｃｍ〜２５ｃｍ程度となる。
【００１８】
前記シールド部１０の開口部１０ｃの高さＨ１は、装着した際、装着者の目の周りが十分に露出して表情が分かりやすいように、２ｃｍ〜６ｃｍ程度確保されていれば良い。すなわち、前記バイザー部５の前端５ｂは、装着時には、図１に示すように、多少、中央部分が上方に湾曲して撓むことから、開口部１０ｃを形成するための高さＨ１は、２ｃｍ〜６ｃｍ程度確保されていれば、装着時において、装着者の目の周辺の前方が、１５ｃｍ〜２５ｃｍ程度の横幅で、１０ｃｍ程度以上の高さが確保された開口領域が生じ、これにより、飛散防止効果が得られつつ、顔の表情を把握することが可能となる。
【００１９】
前記バイザー部５の両側部５ａと、シールド部１０の垂下部１０ａとの止着方法は、特に限定されることはないが、図に示す構成では、両側部５ａを屈曲し、この部分に接着することで止着するようにしている。或いは、クリップなどで行なうことも可能であり、それ以外にも、いずれか一方に係止部（引掛け部）を形成し、他方にハトメ、孔などを形成して掛け止めして連結（止着）したり、更には、両部材に切れ込み等を形成して、止着するようにしても良い。このように、分解した状態で顧客に手渡しし、その場で組み立てて使用することも可能である。
【００２０】
前記装着部３及びバイザー部５は、紙材、又は、プラスチック材で構成することが可能であり、飲食店など、使い捨てで配布するような使用形態では、コストを考慮して紙材で形成することが好ましい。また、前記シールド部１０は、透明材料（ＰＥＴなどの樹脂材）や紙材で構成することが可能である。特に、透明材料にすることで、装着した際の顔の表情を分かり易くすることができる。
【００２１】
上記した飲食用マスク１によれば、装着部３を頭部Ｐに装着すると、前方に張り出したバイザー部５の両側部に止着されたシールド部１０の覆い部１０ｂが口部の前方を覆うようになる。バイザー部５が前方に張り出していることで、シールド部１０と顔の表面と間には隙間が形成され、この隙間を介して飲食物を口に運ぶことができる。すなわち、従来技術のようにシールド部分を開閉したり、ループを耳から外すような操作をすることなく、そのまま飲食することができ、操作性が低下するようなこともない。また、口の前方を覆うシールド部１０は、バイザー部５の前端部５ｂから下方となる目の前方に開口部１０ｃを有することから、飲食する際に顔の表情が隠れることはなく、声も聞き取り易くなる。そして、上記したタイプの飲食用マスク１は、バイザー部５を有する装着部３と、バイザー部５の両側部に垂下するように止着されるシールド部１０のみで構成されるので、構造が簡易であり、コストが高騰することはなく、飲食店など、使い捨て用として配布することが可能である。
【００２２】
以上、本考案の実施形態について説明したが、本考案は上記した実施形態に限定されることはなく、種々変更することが可能である。
例えば、装着部３はベルト状に構成したが、キャップ形態にしても良い。また、バイザー部５の大きさ、開口部１０ｃの大きさ等、適宜変形することが可能である。
【符号の説明】
【００２３】
１  飲食用マスク
３  装着部
５  バイザー部
５ａ  両側部
５ｂ  前端部
１０  シールド部
１０ａ  垂下部
１０ｂ  覆い部
１０ｃ  開口部（開口領域）
【図１】
0003234675.tif 000003
【図２】
0003234675.tif 000004